(57)【要約】【課題】撮像装置において、構造の簡素化等を図り、光軸に対する撮像素子の位置調整後の固定に際し位置ずれし難く、落下等の衝撃力に対しても部品の脱落等を防止できるようにする。【解決手段】光軸Ｌをもつ撮像レンズＧ、撮像レンズを保持するレンズ保持部材２０、撮像レンズを通して結像された被写体像を撮像する撮像素子３０、撮像素子を固定する固定板５０を備え、固定板５０は、レンズ保持部材と非接触の状態で接着剤７０を介してレンズ保持部材に固定される撮像装置において、固定板と非接触に配置されて固定板の脱落を規制する規制部６２を有すると共にレンズ保持部材に連結される連結部材６０、連結部材と固定板の間に介在する接着剤８０を含む。これによれば、光軸に対する撮像素子の位置調整後の固定に際し位置ずれし難く、落下等の衝撃力に対する耐衝撃性を高めて、部品の脱落等を防止できる。【選択図】図５
2014186212.tif 000002
【特許請求の範囲】
【請求項１】
光軸をもつ撮像レンズと、
前記撮像レンズを保持するレンズ保持部材と、
前記撮像レンズを通して結像された被写体像を撮像する撮像素子と、
前記撮像素子を固定する固定板を備え、前記固定板は、前記レンズ保持部材と非接触の状態で接着剤を介して前記レンズ保持部材に固定される撮像装置であって、
前記固定板と非接触に配置されて前記固定板の脱落を規制する規制部を有すると共に前記レンズ保持部材に連結される連結部材と、
前記連結部材と前記固定板の間に介在する接着剤とを含む、
ことを特徴とする撮像装置。
【請求項２】
前記連結部材は、ネジが切られた軸部及び前記軸部よりも拡径した頭部を有する頭部付きネジであり、
前記レンズ保持部材は、前記頭部付きネジを捩じ込むネジ穴を有し、
前記固定板は、前記頭部付きネジの軸部のみを非接触にて挿通させる貫通孔を有し、
前記頭部付きネジは、前記レンズ保持部材のネジ穴に捩じ込まれると共に前記固定板と非接触にした状態で前記接着剤を介して前記固定板に固着されている、
ことを特徴とする請求項１に記載の撮像装置。
【請求項３】
光軸をもつ撮像レンズと、
前記撮像レンズを保持するレンズ保持部材と、
前記撮像レンズを通して結像された被写体像を撮像する撮像素子と、
前記撮像素子を固定する固定板を備え、前記固定板は、前記レンズ保持部材と非接触の状態で接着剤を介して前記レンズ保持部材に固定される撮像装置であって、
前記固定板と非接触に配置されて前記固定板の脱落を規制する規制部を有すると共に前記レンズ保持部材に一体的に形成された連結突起部と、
前記連結突起部と前記固定板の間に介在する接着剤とを含む、
ことを特徴とする撮像装置。
【請求項４】
前記固定板は、前記連結突起部を非接触にて挿通させる貫通孔を有し、
前記連結突起部は、前記固定板の貫通孔に挿通された後に前記規制部を形成するべく変形させられる先端部を有し、前記先端部を変形させて前記固定板と非接触にした状態で前記接着剤を介して前記固定板に固着されている、
ことを特徴とする請求項３に記載の撮像装置。
【発明の詳細な説明】
【技術分野】
【０００１】
本発明は、撮像レンズによって結像された被写体像を撮像素子により撮像する撮像装置に関し、特に、撮像レンズを保持（固定）するレンズ保持部材に対して、撮像素子を固定した固定板を組み付ける際に、光軸方向及び光軸に垂直な方向等の位置調整を行って組み付けられる撮像装置に関する。
【背景技術】
【０００２】
従来の撮像装置としては、撮像レンズを保持（固定）するレンズ保持部材（レンズホルダ）、レンズ保持部材を固定すると共に外装を形成するフロントケース、撮像素子を実装固定する基板等を備え、レンズ保持部材に保持（固定）された撮像レンズの背面に撮像レンズを受け入れる凹状の受け部を設け、フロントケースの背面に基板をネジ締めにより固定するためのポスト（ネジ穴）を設け、基板にネジを通すための貫通孔を設け、撮像レンズを保持したレンズ保持部材をフロントケースに固定し、撮像素子を実装した基板をフロントケースの背後から近づけて、撮像素子を撮像レンズの受け部に嵌め込むことにより、撮像レンズの光軸に垂直な方向における撮像素子の位置決めを行い、ネジを締結して基板をフロントケースに固定するものが知られている（例えば、特許文献１を参照）。
【０００３】
この撮像装置においては、複数のネジを用いて基板を締め込むことにより、光軸方向の位置を調整することはできても、その締め込みの際にネジの回転に伴って基板が回転しあるいはネジの締め込み過ぎにより基板が沈み込む等の影響により、光軸方向あるいは光軸に垂直な方向の位置決めがずれてしまう虞があった。
【先行技術文献】
【特許文献】
【０００４】
【特許文献１】特開２０１２−７４９３４号公報
【発明の概要】
【発明が解決しようとする課題】
【０００５】
本発明は、上記従来技術の事情に鑑みて成されたものであり、その目的とするところは、構造の簡素化等を図りつつ、光軸に対する撮像素子の位置調整後の固定に際し位置ずれし難く、落下等の衝撃力に対する耐衝撃性を低くすることなく、機能上の信頼性を向上させることのできる撮像装置を提供することにある。
【課題を解決するための手段】
【０００６】
本発明の第１の撮像装置は、光軸をもつ撮像レンズと、撮像レンズを保持するレンズ保持部材と、撮像レンズを通して結像された被写体像を撮像する撮像素子と、撮像素子を固定する固定板を備え、固定板はレンズ保持部材と非接触の状態で接着剤を介してレンズ保持部材に固定される撮像装置であって、上記固定板と非接触に配置されて固定板の脱落を規制する規制部を有すると共にレンズ保持部材に連結される連結部材と、連結部材と固定板の間に介在する接着剤とを含む、ことを特徴としている。
この構成によれば、撮像レンズ（の光軸）に対する撮像素子の光軸位置調整（光軸方向の位置合わせ、光軸に垂直な方向の位置合わせ、光軸に対する傾き合わせ等）の後に、撮像レンズを保持したレンズ保持部材と撮像素子を固定した固定板とを両者の間に介在する接着剤により固着させると共に、レンズ保持部材に連結された（規制部を有する）連結部材と固定板とを両者の間に介在する接着剤により固着させるため、位置調整のずれを防止できると共に、仮にレンズ保持部材と固定板との間の接着剤が外部からの衝撃力等により剥がれたとしても、連結部材の規制部（及び連結部材と固定板の間に介在する接着剤）により固定板（及び撮像素子）の脱落を防止することができる。
これによれば、構造の簡素化等を達成しつつ、光軸に対する撮像素子の位置調整後の固定に際し位置ずれし難く、固定板の外縁部のみでなく固定板の中央付近においても接着固定がなされることにより落下等の衝撃力に対する耐衝撃性が高く、部品（固定板、撮像素子等）の脱落等を防止でき、機能上の信頼性を向上させることのできる撮像装置が得られる。
【０００７】
上記第１の撮像装置に係る構成において、連結部材は、ネジが切られた軸部及び軸部よりも拡径した頭部を有する頭部付きネジであり、レンズ保持部材は、頭部付きネジを捩じ込むネジ穴を有し、固定板は、頭部付きネジの軸部のみを非接触にて挿通させる貫通孔を有し、頭部付きネジは、レンズ保持部材のネジ穴に捩じ込まれると共に固定板と非接触にした状態で接着剤を介して固定板に固着されている、構成を採用することができる。
この構成によれば、撮像レンズを保持したレンズ保持部材の背面側に、所定の隙間をおいて（非接触の状態で）撮像素子を固定した固定板を対向させて保持し、頭部付きネジの軸部を固定板の背後から貫通孔に通してレンズ保持部材のネジ穴に捩じ込んで固定板と非接触の状態に保持し、レンズ保持部材（の背面側）と固定板（の外縁部）の間に接着剤を注入し（この接着剤は、レンズ保持部材の背面側又は固定板の外縁部に予め塗布されていてもよい）、頭部付きネジと固定板の間に接着剤を注入し、光軸位置調整を行った後に、接着剤を（例えば紫外線照射により）固化することにより、光軸調整後の位置ずれを防止できると共に、耐衝撃性の高い撮像装置を得ることができる。
【０００８】
本発明の第２の撮像装置は、光軸をもつ撮像レンズと、撮像レンズを保持するレンズ保持部材と、撮像レンズを通して結像された被写体像を撮像する撮像素子と、撮像素子を固定する固定板を備え、固定板はレンズ保持部材と非接触の状態で接着剤を介してレンズ保持部材に固定される撮像装置であって、上記固定板と非接触に配置されて固定板の脱落を規制する規制部を有すると共にレンズ保持部材に一体的に形成された連結突起部と、連結突起部と固定板の間に介在する接着剤とを含む、ことを特徴としている。
この構成によれば、撮像レンズ（の光軸）に対する撮像素子の光軸位置調整（光軸方向の位置合わせ、光軸に垂直な方向の位置合わせ、光軸に対する傾き合わせ等）の後に、撮像レンズを保持したレンズ保持部材と撮像素子を固定した固定板とを両者の間に介在する接着剤により固着させると共に、レンズ保持部材に一体形成された（規制部を有する）連結突起部と固定板とを両者の間に介在する接着剤により固着させるため、位置調整のずれを防止できると共に、仮にレンズ保持部材と固定板との間の接着剤が外部からの衝撃力等により剥がれたとしても、連結突起部の規制部（及び連結突起部と固定板の間に介在する接着剤）により固定板（及び撮像素子）の脱落を防止することができる。
これによれば、構造の簡素化等を達成しつつ、光軸に対する撮像素子の位置調整後の固定に際し位置ずれし難く、落下等の衝撃力に対する耐衝撃性を低下させることなく、機能上の信頼性を向上させることのできる撮像装置が得られる。
【０００９】
上記第２の撮像装置に係る構成において、固定板は、連結突起部を非接触にて挿通させる貫通孔を有し、連結突起部は、固定板の貫通孔に挿通された後に規制部を形成するべく変形させられる先端部を有し、先端部を変形させて固定板と非接触にした状態で接着剤を介して固定板に固着されている、構成を採用することができる。
この構成によれば、撮像レンズを保持したレンズ保持部材の背面側に、所定の隙間をおいて（非接触の状態で）撮像素子を固定した固定板を対向させて保持すると共に、連結突起部を固定板の貫通孔に通して固定板と非接触の状態に保持し、連結突起部の先端部を鍔状に潰し（変形させ）、レンズ保持部材（の背面側）と固定板（の外縁部）の間に接着剤を注入し（この接着剤は、レンズ保持部材の背面側又は固定板の外縁部に予め塗布されていてもよい）、連結突起部と固定板の間に接着剤を注入し、光軸位置調整を行った後に、接着剤を（例えば紫外線照射により）固化することにより、光軸調整後の位置ずれを防止できると共に、耐衝撃性の高い撮像装置を得ることができる。
【発明の効果】
【００１０】
上記構成をなす撮像装置によれば、構造の簡素化等を達成しつつ、光軸に対する撮像素子の位置調整後の固定に際し位置ずれし難く、落下等の衝撃力に対する耐衝撃性を低下させることなく、機能上の信頼性を向上させることのできる撮像装置を得ることができる。
【図面の簡単な説明】
【００１１】
【図１】本発明に係る撮像装置の一実施形態を示す（後方斜めから視た）外観斜視図である。
【図２】図１に示す撮像装置の（前方斜めから視た）分解斜視図である。
【図３】図１に示す撮像装置の（後方斜めから視た）分解斜視図である。
【図４】図１に示す撮像装置の組付け（光軸合わせのための位置調整）前の状態を示すものであり、撮像レンズを保持したレンズ保持部材に撮像素子を固定した固定板を組み付ける前の状態を示す分解斜視図である。
【図５】図１に示す撮像装置において、連結部材としての頭部付きネジ及び接着剤を用いて、撮像レンズを保持したレンズ保持部材に対して撮像素子を固定した固定板を組み付けた状態を示す部分断面図である。
【図６】頭部付きネジの他の実施形態を示す部分断面図である。
【図７】頭部付きネジのさらに他の実施形態を示す部分断面図である。
【図８】頭部付きネジに替えて、レンズ保持部材に一体形成された連結突起部を採用した実施形態を示す部分断面図である。
【図９】図８に示す連結突起部の先端部を押し潰した状態を示す部分断面図である。
【発明を実施するための形態】
【００１２】
以下、本発明の実施形態について、添付図面を参照しつつ説明する。
この実施形態に係る撮像装置は、図１ないし図３及び図５に示すように、光軸Ｌをもつ撮像レンズＧを固定した鏡筒１０、鏡筒１０を（止めネジＢを用いて固定することにより）保持するレンズ保持部材２０、撮像レンズＧを通して結像された被写体像を撮像する撮像素子３０、撮像素子３０を実装するフレキシブルプリント配線板４０、撮像素子３０を固定する固定板５０、固定板５０と非接触に配置されて固定板５０の脱落を規制する規制部を有すると共にレンズ保持部材２０に連結される連結部材としての頭部付きネジ６０、レンズ保持部材２０と固定板５０の間に介在する接着剤７０、頭部付きネジ６０と固定板５０の間に介在する接着剤８０等を備えている。
【００１３】
鏡筒１０は、図２に示すように、樹脂材料等を用いて円筒状に形成され、その内部に撮像レンズＧを固定して保持すると共に、レンズ保持部材２０の嵌合孔２１に捩じ込んで嵌め込まれ、止めネジＢによりその外周が締め付けられて、レンズ保持部材２０に対して堅固に固定（保持）されるようになっている。
【００１４】
レンズ保持部材２０は、図２ないし図５に示すように、樹脂材料等を用いて形成され、鏡筒１０を捩じ込んで嵌め込むべく光軸Ｌ上に中心をもつ（雌ネジ付きの）嵌合孔２１、光軸Ｌに垂直な方向から嵌合孔２１に連通して止めネジＢを捩じ込むネジ孔２２、光軸Ｌ方向の背面側において固定板５０を対向させる対向面２３、対向面２３の周りの少なくとも一部に形成された側壁部２４、対向面２３において光軸Ｌ方向に伸長するように形成された２つのネジ穴２５、車両等の取り付け対象物（不図示）に取り付けるための２つのフランジ部２６等を備えている。
側壁部２４は、固定板５０との間に接着剤７０を溜める空間を画定するように、光軸Ｌ方向の後方側に向けて突出するように形成されている。
ネジ穴２５は、頭部付きネジ６０の軸部６１の先端が当接するように全域においてネジが切られている。
【００１５】
撮像素子３０は、撮像レンズＧを通して結像された被写体像を撮像するＣＣＤ、ＣＭＯＳ等の固体撮像素子であり、図２及び図５に示すように、フレキシブルプリント配線板４０の領域４１に実装固定されている。
フレキシブルプリント配線板４０は、図２、図３、図５に示すように、撮像素子３０を実装する配線（不図示）等がプリントされた領域４１、頭部付きネジ６０の軸部６１を非接触にて通す（軸部６１の径よりも大きい内径をなす）２つの貫通孔４２を備えている。
【００１６】
固定板５０は、撮像素子３０を固定するべく金属板等を用いて形成されており、図２ないし図５に示すように、フレキシブルプリント配線板４０に実装された撮像素子３０を露出させる略矩形状の開口部５１、頭部付きネジ６０の軸部６１を非接触にて通す（軸部６１の径よりも大きい内径をなす）２つの貫通孔５２、レンズ保持部材２０の背面側に形成された対向面２３に光軸Ｌ方向の後方側から対向する対向面５３等を備えている。
そして、固定板５０は、図５に示すように、開口部５１に撮像素子３０を臨ませた状態で、撮像素子３０の外縁部と開口部５１の内縁部の領域に注入された接着剤Ｇｒを介して、撮像素子３０を固定するようになっている。
【００１７】
頭部付きネジ６０は、図２ないし図５に示すように、ネジが切られた軸部６１、軸部６１よりも拡径した（大きい外径をなす）頭部６２を備えている。
軸部６１は、その全域においてネジが切られた全ネジを画定するものであり、固定板５０の貫通孔５２及びフレキシブルプリント配線板４０の貫通孔４２よりも小さい外径をなすように形成されている。
頭部６２は、その表面に捩じ込む際の工具を連結する十字穴が形成されると共に、固定板５０の貫通孔５２及びフレキシブルプリント配線板４０の貫通孔４２よりも大きい外径をなすように形成されており、固定板５０（及び撮像素子３０）の脱落を規制する規制部として機能するものである。
ここで、頭部付きネジ６０とネジ穴２５との関係は、図５に示すように、頭部付きネジ６０がネジ穴２５に捩じ込まれて、軸部６１の先端がネジ穴２５のネジ底に当接した状態で、レンズ保持部材２０の対向面２３と固定板５０の対向面５３との間に（両者を非接触状態とするための）所定の隙間が確保され、かつ、固定板５０（ここでは、固定板５０の背面に配置されたフレキシブルプリント配線板４０）と頭部６２との間に（両者を非接触状態とするための）所定の隙間が確保される寸法に形成されている。
【００１８】
接着剤７０は、図５に示すように、レンズ保持部材２０と固定板５０との間に介在して、両者を非接触の状態で固着するものであり、レンズ保持部材２０の背面側に（位置する対向面２３）に固定板５０（の対向面５３）を非接触にて（所定の隙間をおいて）対向させた状態で、レンズ保持部材２０の背面側の側壁部２４と固定板５０の外周縁部との間に設けられる（注入あるいは塗布される）ものであり、例えば、紫外線を照射することにより硬化するものである。
ここで、接着剤７０を設けるタイミングとしては、組付け時において、レンズ保持部材２０と固定板５０を非接触にて対向配置した後に接着剤７０を注入してもよく、又、レンズ保持部材２０の背面側あるいは固定板５０の外縁部に予め接着剤７０を塗布しておいてもよい。
【００１９】
接着剤８０は、図５に示すように、頭部付きネジ６０と固定板５０との間に介在して、両者を非接触の状態で固着するものであり、レンズ保持部材２０の背面側に（位置する対向面２３）に固定板５０（の対向面５３）を非接触にて（所定の隙間をおいて）対向させた状態で、頭部付きネジ６０を後方側から貫通孔４２，５２に通してネジ穴２５に捩じ込んで、固定板５０（及びフレキシブルプリント配線板４０）と非接触にした状態で、頭部付きネジ６０と固定板５０（及びフレキシブルプリント配線板４０の貫通孔５２，４２の内周領域、及び貫通孔４２の周りの背面領域）との間に設けられる（注入あるいは塗布される）ものであり、例えば、紫外線を照射することにより硬化するものである。
【００２０】
次に、上記構成をなす撮像装置の組付け手順について説明する。
先ず、図４に示すように、撮像レンズＧ（を固定した鏡筒１０）を保持したレンズ保持部材２０、撮像素子３０を固定した固定板５０、２つの頭部付きネジ６０を準備する。
続いて、撮像レンズＧを保持したレンズ保持部材２０の背面側に、所定の隙間をおいて（非接触の状態で）、撮像素子３０を固定した固定板５０を対向させつつ（所定の装置を用いて空中）保持し、頭部付きネジ６０の軸部６１を固定板５０（及びフレキシブルプリント配線板４０）の背後から貫通孔４２，５２に通してレンズ保持部材２０のネジ穴２５に捩じ込んで固定板５０（及びフレキシブルプリント配線板４０）と非接触の状態に保持する。
【００２１】
続いて、図５に示すように、レンズ保持部材２０（の背面側の側壁部２４）と固定板５０（の外縁部）の間に接着剤７０を注入し（この接着剤７０は、レンズ保持部材２０の背面側又は固定板５０の外縁部に予め塗布されていてもよい）、頭部付きネジ６０と固定板５０（及びフレキシブルプリント配線板４０）の間に接着剤８０を注入する。
続いて、所定の光軸調整装置（不図示）を用いて、光軸位置調整（光軸Ｌ方向の位置合わせ、光軸Ｌに垂直な方向の位置合わせ、光軸Ｌに対する傾き合わせ等）を行った後に、接着剤７０及び接着剤８０に紫外線を照射して固化する。
これにより、撮像装置の組付けを完了する。
【００２２】
この撮像装置によれば、撮像レンズＧ（の光軸Ｌ）に対する撮像素子３０の光軸位置調整（光軸方向の位置合わせ、光軸Ｌに垂直な方向の位置合わせ、光軸Ｌに対する傾き合わせ等）の後に、撮像レンズＧを保持したレンズ保持部材２０と撮像素子３０を固定した固定板５０とを両者の間に介在する接着剤７０により固着させると共に、レンズ保持部材２０に連結された（規制部としての頭部６２を有する）頭部付きネジ６０と固定板５０とを両者の間に介在する接着剤８０により固着させるため、位置調整のずれを防止できると共に、仮にレンズ保持部材２０と固定板５０との間の接着剤７０が外部からの衝撃力等により剥がれたとしても、頭部付きネジ６０の頭部６２（及び頭部付きネジ６０と固定板５０の間に介在する接着剤８０）により固定板５０（及び撮像素子３０）の脱落を防止することができる。
これにより、構造の簡素化等を達成でき、光軸Ｌに対する撮像素子３０の位置調整後の固定に際し位置ずれし難く、落下等の衝撃力に対する耐衝撃性を低下させることなく、機能上の信頼性を向上させることのできる撮像装置を得ることができる。
【００２３】
尚、上記実施形態においては、連結部材として、軸部６１の全域にネジが切られた全ネジ型の頭部付きネジ６０を採用した場合を示したが、これに限定されるものではなく、例えば、図６に示すように、一部にネジが切られた軸部６１´を有する半ネジ型の頭部付きネジ６０´を採用して、レンズ保持部材２０と固定板５０との間及び固定板５０（及びフレキシブルプリント配線板４０）と頭部付きネジ６０´との間を非接触の状態に保持するようにしてもよく、又、図７に示すように、一部にネジが切られると共に段付き状に形成された軸部６１´´を有する段付き半ネジ型の頭部付きネジ６０´´を採用して、レンズ保持部材２０と固定板５０との間及び固定板５０（及びフレキシブルプリント配線板４０）と頭部付きネジ６０´´との間を非接触の状態に保持するようにしてもよい。
【００２４】
図８及び図９は、本発明に係る他の実施形態を示すものであり、別体として用意された連結部材に替えて、レンズ保持部材２０´に一体的に形成された連結突起部２７´を採用した以外は、前述の実施形態と同様であり、前述の実施形態と同一の構成については同一の符号を付して説明を省略する。
すなわち、この実施形態に係る撮像装置は、光軸Ｌをもつ撮像レンズＧを固定した鏡筒１０、鏡筒１０を（止めネジＢを用いて固定することにより）保持するレンズ保持部材２０´、撮像素子３０、フレキシブルプリント配線板４０、固定板５０、固定板５０と非接触に配置されて固定板５０の脱落を規制する規制部を有すると共にレンズ保持部材２０´に一体的に形成された連結突起部２７´、レンズ保持部材２０´と固定板５０の間に介在する接着剤７０、連結突起部２７´と固定板５０の間に介在する接着剤８０等を備えている。
【００２５】
レンズ保持部材２０´は、樹脂材料等を用いて形成され、嵌合孔２１、ネジ孔２２、対向面２３、側壁部２４、２つのフランジ部２６、対向面２３において光軸Ｌ方向の後方に向けて突出するように形成された２つの連結突起部２７´等を備えている。
連結突起部２７´は、図８及び図９に示すように、円形断面をなすと共に、固定板５０の貫通孔５２及びフレキシブルプリント配線板４０の貫通孔４２よりも小さい外径をなすように形成されている。
また、連結突起部２７´は、図８及び図９に示すように、固定板５０の貫通孔５２及びフレキシブルプリント配線板４０の貫通孔４２に通した後、貫通孔５２，４２よりも大きい外径をなすように加熱しつつ鍔状に押し潰される先端部２７´ａを有し、この先端部２７´ａが、固定板５０（及び撮像素子３０）の脱落を規制する規制部として機能するものである。
ここで、連結突起部２７´は、図９に示すように、レンズ保持部材２０´の対向面２３と固定板５０の対向面５３との間に（両者を非接触状態とするための）所定の隙間が確保され、かつ、固定板５０（ここでは、固定板５０の背面に配置されたフレキシブルプリント配線板４０）と鍔状に変形された先端部２７´ａとの間に（両者を非接触状態とするための）所定の隙間が確保される寸法に形成されている。
【００２６】
次に、上記構成をなす撮像装置の組付け手順について説明する。
先ず、撮像レンズＧ（を固定した鏡筒１０）を保持したレンズ保持部材２０´、撮像素子３０を固定した固定板５０を準備する。
続いて、撮像レンズＧを保持したレンズ保持部材２０´の背面側に、所定の隙間をおいて（非接触の状態で）撮像素子３０を固定した固定板５０を対向させつつ（所定の装置を用いて空中）保持すると共に、図８に示すように、連結突起部２７´を固定板５０の貫通孔５２及びフレキシブルプリント配線板４０の貫通孔４２に通して固定板５０（及びフレキシブルプリント配線板４０）と非接触の状態に保持する。
続いて、所定の装置を用いて、図９に示すように、連結突起部２７´の先端部２７´ａを潰して（変形させて）鍔状に成形する。
【００２７】
続いて、図９に示すように、レンズ保持部材２０´（の背面側の側壁部２４）と固定板５０（の外縁部）の間に接着剤７０を注入し（この接着剤７０は、レンズ保持部材２０´の背面側又は固定板５０の外縁部に予め塗布されていてもよい）、連結突起部２７´と固定板５０の間に接着剤８０を注入する。
続いて、所定の光軸調整装置（不図示）を用いて、光軸位置調整（光軸Ｌ方向の位置合わせ、光軸Ｌに垂直な方向の位置合わせ、光軸Ｌに対する傾き合わせ等）を行った後に、接着剤７０及び接着剤８０に紫外線を照射して固化する。
これにより、撮像装置の組付けが完了する。
【００２８】
この撮像装置によれば、撮像レンズＧ（の光軸Ｌ）に対する撮像素子３０の光軸位置調整（光軸Ｌ方向の位置合わせ、光軸Ｌに垂直な方向の位置合わせ、光軸Ｌに対する傾き合わせ等）の後に、撮像レンズＧを保持したレンズ保持部材２０´と撮像素子３０を固定した固定板５０とを両者の間に介在する接着剤７０により固着させると共に、レンズ保持部材２０´に一体形成された（規制部としての先端部２７´ａを有する）連結突起部２７´と固定板５０とを両者の間に介在する接着剤８０により固着させるため、位置調整のずれを防止できると共に、仮にレンズ保持部材２０´と固定板５０との間の接着剤７０が外部からの衝撃力等により剥がれたとしても、連結突起部２７´の先端部２７´ａ（及び連結突起部２７´と固定板５０の間に介在する接着剤８０）により固定板５０（及び撮像素子３０）の脱落を防止することができる。
これにより、構造の簡素化等を達成でき、光軸Ｌに対する撮像素子３０の位置調整後の固定に際し位置ずれし難く、落下等の衝撃力に対する耐衝撃性を低下させることなく、機能上の信頼性を向上させることのできる撮像装置を得ることができる。
【００２９】
上記実施形態においては、連結部材として、頭部付きネジ６０、６０´、６０´´を採用した場合を示したが、これに限定されるものではなく、レンズ保持部材２０とは別体として形成され、規制部としての機能を有するものであれば、その他の連結部材を採用することができる。
上記実施形態においては、連結突起部として、後から鍔状に潰される先端部２７´ａを有する連結突起部２７´を採用した場合を示したが、これに限定されるものではなく、貫通孔５２，４２に非接触にて通されかつ規制部としての機能を有するものであれば、予め鍔状をなす先端部が形成されたものやその他の形態をなす連結突起部を採用してもよい。
【産業上の利用可能性】
【００３０】
以上述べたように、本発明の撮像装置は、構造の簡素化等を達成しつつ、光軸に対する撮像素子の位置調整後の固定に際し位置ずれし難く、落下等の衝撃力に対する耐衝撃性を低下させることなく、機能上の信頼性を向上させることができるため、自動車等の車載用のカメラモジュールとして適用できるのは勿論のこと、外部からの衝撃等を受け易いその他の車両や光学機器の撮像装置としても有用である。
【符号の説明】
【００３１】
Ｌ  光軸
Ｇ  撮像レンズ
Ｂ  止めネジ
１０  鏡筒
２０，２０´  レンズ保持部材
２１  嵌合孔
２２  ネジ孔
２３  対向面
２４  側壁部
２５  ネジ穴
２６  フランジ部
２７´  連結突起部
２７´ａ  先端部
３０  撮像素子
４０  フレキシブルプリント配線板
４１  領域
４２  貫通孔
５０  固定板
５１  開口部
５２  貫通孔
５３  対向面
６０，６０´，６０´´  頭部付きネジ（連結部材）
６１，６１´，６１´´  軸部
６２  頭部
７０  接着剤
８０  接着剤
Ｇｒ  接着剤
【図１】
2014186212.tif 000003
【図２】
2014186212.tif 000004
【図３】
2014186212.tif 000005
【図４】
2014186212.tif 000006
【図５】
2014186212.tif 000007
【図６】
2014186212.tif 000008
【図７】
2014186212.tif 000009
【図８】
2014186212.tif 000010
【図９】
2014186212.tif 000011